(57)【要約】  【課題】  異なるワイヤハーネスに共用可能であり、かつ、ワイヤハーネスの径に応じて外形を変更できるプロテクタを提供する。  【解決手段】  プロテクタ１０は、連結枠１１ａの両端に両側外枠１１ｂを有する断面コ型の外枠１１と、該両側外枠１１ｂより夫々リンク片１２を介して連結した一対の伸縮内枠１３を備え、リンク片１２の両端は薄肉ヒンジ１５を介して外枠１１と伸縮内枠１３とを連結し、リンク片１２を両側外枠１１ｂ内面に沿わせて位置させて外枠１１内に伸縮内枠１３を配置した短縮状態で内部容量を小さくして、小径のワイヤハーネスＷ／Ｈ１に外装できる一方、リンク片１２を外向きに変形させて伸縮内枠１３を外枠１１より外方に突出させた長伸状態で内部容量を大きくして、大径のワイヤハーネスＷ／Ｈ２に外装できる構成としている。  【選択図】図３
2005073395.tif 000002
【特許請求の範囲】
【請求項１】
自動車用ワイヤハーネスに外装する樹脂成形品からなるプロテクタであって、
連結枠の両端に両側外枠を有する断面コ型の外枠と、該両側外枠より夫々リンク片を介して連結した一対の伸縮内枠を備え、これら伸縮内枠の外端に互いに近接する方向に屈折させた閉鎖枠を設けると共にこれら閉鎖枠の先端に互いに係止するロック部と被ロック部とを設け、上記リンク片の両端は薄肉ヒンジを介して上記外枠と伸縮内枠とを連結し、
上記リンク片を上記両側外枠内面に沿わせて位置させて外枠内に上記伸縮内枠を配置した短縮状態で内部容量を小さくできる一方、上記リンク片を外向きに変形させて上記伸縮内枠を上記外枠より外方に突出させた長伸状態で内部容量を大きくできる構成としていることを特徴とするプロテクタ。
【請求項２】
上記外枠のうち上記両側外枠のいずれか一方と上記連結枠との間に薄肉ヒンジ部を設け、該ヒンジ連結側の両側外枠と該両側外枠に上記リンク片を介して連結する上記伸縮内枠および閉鎖枠を開閉自在な蓋としている請求項１に記載のプロテクタ。
【請求項３】
上記伸縮内枠と上記外枠とは、該外枠の開口端と伸縮内枠の長さ方向の中間部とを連結する第１リンク片と、上記両側外枠の長さ方向の中間部と上記伸縮内枠の内端とを連結する第２リンク片とを介して連結し、上記長伸状態で、第１リンク片は上記伸縮内枠の外面に位置して２重壁を形成すると共に第２リンク片は上記外枠の内面側に位置して２重壁を形成する構成としている請求項１または請求項２に記載のプロテクタ。
【発明の詳細な説明】
【技術分野】
【０００１】
本発明は、プロテクタに関し、詳しくは、プロテクタの内部容量を変更可能として、異なる電線量からなる径の相違するワイヤハーネスに共用可能とするものである。
【背景技術】
【０００２】
従来、ワイヤハーネスを外部干渉材から保護したり、経路規制をするために外装するプロテクタは、ワイヤハーネスの電線量（外径）に応じたものを用いており、図４（Ａ）に示すように、電線量が少なく小径のワイヤハーネスＷ／Ｈ１には内部容量の小さなプロテクタ１を外装する一方、図４（Ｂ）に示すように、電線量が多く大径のワイヤハーネスＷ／Ｈ２には内部容量の大きな別に形成したプロテクタ１’を外装している。
【０００３】
しかしながら、ワイヤハーネスの径に応じて夫々プロテクタを設けると、専用部品の点数が増加し、それに伴ってコスト高になる問題がある。
【０００４】
そこで、特開平７−１３１９１５号において、異なる径のワイヤハーネスに共用可能なプロテクタ２が提供されている。該プロテクタ２は、図５に示すように、断面コ型のプロテクタ２の一部分にヒンジ３で連結した変形可能なワイヤハーネス固定部４を設け、図５（Ａ）に示すように、ワイヤハーネス固定部４をヒンジ３で屈曲して凸状とすると、小径のワイヤハーネス収容空間５を形成できる一方、図５（Ｂ）に示すように、ワイヤハーネス固定部４を下方に押圧し、図５（Ｃ）に示すように、ワイヤハーネス固定部４を断面コ型とすると、大径のワイヤハーネス収容空間５’を形成することができる。上記ワイヤハーネス収容空間５にワイヤハーネスを挿通した後、ワイヤハーネス固定部４でワイヤハーネスをプロテクタ２にテープ巻き固定している。
上記構成からなるプロテクタ２は、ワイヤハーネス固定部４を変形させてワイヤハーネス収容部５の断面積を変更し、異なる径のワイヤハーネスにプロテクタ２をテープ巻き固定することができる。
【０００５】
しかしながら、上記プロテクタ２では、ワイヤハーネス固定部４は変形可能であるが、他の部位は変形せずに断面積の大きな断面コ型のままであるため、電線量が少ない小径のワイヤハーネスにプロテクタ２を外装すると、必要以上にプロテクタ２を取り付けるスペースが必要となり、かつ、プロテクタ内部で電線が移動し、異音発生の原因ともなる。
【特許文献１】特開平７−１３１９１５号公報
【発明の開示】
【発明が解決しようとする課題】
【０００６】
本発明は上記問題に鑑みてなされたものであり、電線量が相違し径が異なるワイヤハーネスに共用して用いることができるプロテクタを提供することを課題としている。
【課題を解決するための手段】
【０００７】
上記課題を解決するため、本発明は、自動車用ワイヤハーネスに外装する樹脂成形品からなるプロテクタであって、
連結枠の両端に両側外枠を有する断面コ型の外枠と、該両側外枠より夫々リンク片を介して連結した一対の伸縮内枠を備え、これら伸縮内枠の外端に互いに近接する方向に屈折させた閉鎖枠を設けると共にこれら閉鎖枠の先端に互いに係止するロック部と被ロック部とを設け、上記リンク片の両端は薄肉ヒンジを介して上記外枠と伸縮内枠とを連結し、
上記リンク片を上記両側外枠内面に沿わせて位置させて外枠内に上記伸縮内枠を配置した短縮状態で内部容量を小さくできる一方、上記リンク片を外向きに変形させて上記伸縮内枠を上記外枠より外方に突出させた長伸状態で内部容量を大きくできる構成としていることを特徴とするプロテクタを提供している。
【０００８】
上記構成とすると、リンク片を両側外枠内面に沿わせて位置させて外枠内に伸縮内枠を配置すると、プロテクタの内部容量を小さくでき、電線量が少ない小径のワイヤハーネスをガタつきなく収容することができる。一方、リンク片を外向きに変形させて伸縮内枠を外枠より外方に突出させるとプロテクタの内部容量を大きくでき、電線量が多く大径のワイヤハーネスを収容することができる。
即ち、本発明のプロテクタは、その外形を変形することにより、内部容量を変更することができるため、異なる径のワイヤハーネスに共用して用いることができる。
また、小径のワイヤハーネスに外装するときには、プロテクタ自体の外形を小さくすることができるため、プロテクタの設置スペースが少なくできる。
【０００９】
上記コ字状の外枠のうち、両側外枠のいずれか一方と連結枠との間に薄肉ヒンジ部を設け、該ヒンジ連結側の両側外枠と該両側外枠に上記リンク片を介して連結する上記伸縮内枠および閉鎖枠を開閉自在な蓋としていることが好ましい。
上記構成とすると、外形を変形させて容積を代えることができるプロテクタを蓋付きとすることができる。また、上記蓋を開けた状態で、短縮状態と長伸状態の変形作業を行うと、両側の伸縮内枠同士が干渉し合うことがないため、容積の変更作業を容易にすることができる。
【００１０】
上記伸縮内枠と上記外枠とは、該外枠の開口端と伸縮内枠の長さ方向の中間部とを連結する第１リンク片と、上記両側外枠の長さ方向の中間部と上記伸縮内枠の内端とを連結する第２リンク片とを介して連結し、上記長伸状態で、第１リンク片は上記伸縮内枠の外面に位置して２重壁を形成すると共に第２リンク片は上記外枠の内面側に位置して２重壁を形成する構成としていることが好ましい。
本発明のプロテクタは、長伸状態としたときに両側外枠とリンク片と伸縮内枠の間にヒンジを設けているため強度が若干低下するが、上記のように２つのリンク片を設け、長伸状態で、第１リンク片を伸縮内枠の外面に位置して２重壁を形成すると共に第２リンク片は外枠の内面側に位置して２重壁を形成すると、プロテクタの強度を向上させることができ、変形を防止することができる。
【発明の効果】
【００１１】
以上の説明より明らかなように、本発明によれば、外枠と伸縮内枠を連結するリンク片を両側外枠内面に沿わせて位置させて外枠内に伸縮内枠を配置すると、プロテクタの内部容量を小さくでき、小径のワイヤハーネスを収容するに適した大きさとすることができる。一方、上記リンク片を外向きに変形させて伸縮内枠を外枠より外方に突出させるとプロテクタの内部容量を大きくでき、大径のワイヤハーネスを収容するのに適した大きさとすることができる。
即ち、本発明のプロテクタはその外形を変形することにより、内部容量を変更することができるため、電線量が相違し異なる径のワイヤハーネスに共用で用いることができる。
また、小径のワイヤハーネスに外装するときには、プロテクタ自体の外形を小さくすることができるため、プロテクタの設置スペースを減少でき、各種の機器が高密度配置されて、プロテクタの設置スペースが少なくなっている車両内に好適に用いることができる。
【００１２】
また、両側外枠と連結枠との間に薄肉ヒンジ部を設け、該ヒンジ連結側の外枠と該外枠にリンク片を介して連結する伸縮内枠および閉鎖枠を開閉自在な蓋とすると、該蓋を開けた状態で上記短縮状態と長伸状態の変形作業を行うことができ、両側の伸縮内枠同士が干渉し合うことがないため、変形作業を容易にすることができる。また、蓋を開けておくとプロテクタへのワイヤハーネスの収容作業を容易にすることができる。
【００１３】
さらに、伸縮内枠と外枠を、該外枠の開口端と伸縮内枠の長さ方向の中間部とを連結する第１リンク片と、上記両側外枠の長さ方向の中間部と上記伸縮内枠の内端とを連結する第２リンク片とを介して連結すると、長伸状態で、第１リンク片は上記伸縮内枠の外面に位置して２重壁を形成すると共に第２リンク片は上記外枠の内面側に位置して２重壁を形成することができ、プロテクタの強度を向上させることができ、かつ変形を防止することができる。
【発明を実施するための最良の形態】
【００１４】
本発明の実施形態を図面を参照して説明する。
図１乃至図３は、本発明の実施形態を示し、樹脂成形品からなるプロテクタ１０は、自動車用ワイヤハーネスに外装するものであって、外装するワイヤハーネスの長さ方向に所要長さ延在させている。
【００１５】
プロテクタ１０は、図１（Ａ）に示すように、上壁となる連結枠１１ａと該連結枠１１ａの両端から突出する両側外枠１１ｂとからなる断面コ型の外枠１１と、該両側外枠１１ｂより夫々リンク片１２を介して連結した一対の伸縮内枠１３を備えている。リンク片１２は、外枠１１の開口端１１ｃと伸縮内枠１３の長さ方向の中間部の外面とを連結する第１リンク片１２Ａと、両側外枠１１ａの長さ方向の中間部の内面と伸縮内枠１３の内端１３ａとを連結する第２リンク片１２Ｂとからなる。即ち、一対の両側外枠１１ｂと伸縮内枠１３は、それぞれ２つの第１リンク片１２Ａと第２リンク片１２Ｂにより連結されている。また、第１、第２リンク片１２Ａ、１２Ｂの両端は薄肉ヒンジ１５を介して両側外枠１１ｂと伸縮内枠１３に連結し、該薄肉ヒンジ１５で屈曲可能としている。
【００１６】
伸縮内枠１３の外端１３ｂには、互いに近接する方向に屈折させた閉鎖枠１４を設けると共に、これら閉鎖枠１４の先端に互いに係止するロック部１４ａと被ロック部１４ｂとを設けている。両側の伸縮内枠１３から突出する閉鎖枠１４は、先端に設けたロック部１４ａと被ロック部１４ｂをロック結合した状態でプロテクタ１０の底壁を形成している。
【００１７】
外枠１１のうち一方の両側外枠１１ｂ（図１中右側）と連結枠１１ａとの間に薄肉ヒンジ部１６を設け、該ヒンジ連結側の両側外枠１１ｂと該両側外枠１１ｂにリンク片１２を介して連結する伸縮内枠１３および閉鎖枠１４を開閉自在な蓋１７としている。よって、プロテクタ１０にワイヤハーネスを収容するまでは、図１（Ｂ）に示すように、蓋１７を開放しておき、プロテクタ１０内にワイヤハーネスを収容した後に、薄肉ヒンジ部１６を中心に蓋１７を閉じ方向に回動させ、閉鎖枠１４のロック部１４ａと被ロック部１４ｂをロック結合してプロテクタ１０を閉鎖している。
【００１８】
プロテクタ１０に電線量の少ない小径のワイヤハーネスＷ／Ｈ１を収容する場合には、図１に示すように、全ての薄肉ヒンジ１５を屈折させて、第１、第２リンク片１２Ａ、１２Ｂを両側外枠１１ｂ内面に沿わせて位置させ、外枠１１内に伸縮内枠１３を配置した短縮状態として内部容量を小さくしている。この短縮状態で、図３（Ａ）に示すように、プロテクタ１０内に小径のワイヤハーネスＷ／Ｈ１を収容している。また、短縮状態では、外枠１１と該外枠１１内に配置した伸縮内枠１３との間に第１、第２リンク片１２Ａ，１２Ｂが介在されて３重壁を形成している。
【００１９】
一方、プロテクタ１０に電線量の多い大径のワイヤハーネスＷ／Ｈ２を収容する場合には、図２に示すように、第１、第２リンク片１２Ａ、１２Ｂを外向きに変形させて伸縮内枠１３を外枠１１より外方に突出させた長伸状態として内部容量を大きくしている。この長伸状態で、図３（Ｂ）に示すように、プロテクタ１０内に大径のワイヤハーネスＷ／Ｈ２を収容している。また、長伸状態では、第１リンク片１２Ａは伸縮内枠１３の外面に位置して２重壁を形成すると共に第２リンク片１２Ｂは外枠１１の内面側に位置して２重壁を形成している。
【００２０】
上記構成とすると、外枠１１と伸縮内枠１３を連結するリンク片１２を両側外枠１１ｂ内面に沿わせて位置させて外枠１１内に伸縮内枠１３を配置すると、プロテクタ１０の内部容量を小さくでき、電線量の少ない小径のワイヤハーネスＷ／Ｈ１を収容することができる。一方、リンク片１２を外向きに変形させて伸縮内枠１３を外枠１１より外方に突出させるとプロテクタ１０の内部容量を大きくでき、電線量の多い大径のワイヤハーネスＷ／Ｈ２を収容することができる。即ち、本発明のプロテクタ１０はその外形を変形することにより、内部容量を変更することができるため、異なる径のワイヤハーネスに共用することができ、プロテクタの部品点数を低減することができる。また、小径のワイヤハーネスＷ／Ｈ１に外装するときには、プロテクタ１０自体の外形を小さくすることができるため、プロテクタの設置スペースが少なくでき、かつ、プロテクタ１０内でのワイヤハーネスＷ／Ｈのガタつきをなくすことができる。
【００２１】
また、両側外枠１１ｂと該両側外枠１１ｂにリンク片１２を介して連結する伸縮内枠１３および閉鎖枠１４からなる蓋１７を開けた状態で上記短縮状態と長伸状態の変形作業を行うことができるため、両側の伸縮内枠１３同士が干渉することがなく、変形作業を容易にすることができる。また、蓋１７を開けておくとプロテクタ１０へのワイヤハーネスの収容作業を容易にすることができる。
【００２２】
さらに、伸縮内枠１３と外枠１１を、該外枠１１の開口端１１ｃと伸縮内枠１３の長さ方向の中間部とを連結する第１リンク片１２Ａと、両側外枠１１ｂの長さ方向の中間部と伸縮内枠１３の内端１３ａとを連結する第２リンク片１２Ｂとを介して連結しているため、長伸状態で、第１リンク片１２Ａは伸縮内枠１３の外面に位置して２重壁を形成すると共に第２リンク片１２Ｂは外枠１１の内面側に位置して２重壁を形成することができ、プロテクタ１０の強度を向上させることができ、かつ変形を防止することができる。
【００２３】
さらにまた、プロテクタ１０内にワイヤハーネスを収容すると、ワイヤハーネスの圧力により外枠１１内に配置された伸縮内枠１３が外枠１１に押さえつけられるため、ワイヤハーネスを収容した状態では、不用意にプロテクタ１０に短縮状態と長伸状態間での変形が生じることがない。
【図面の簡単な説明】
【００２４】
【図１】本発明の実施形態のプロテクタの短縮状態を示し、（Ａ）は蓋を閉鎖した状態、（Ｂ）は蓋を開けた状態を示す図面である。
【図２】上記プロテクタの長伸状態を示す図面である。
【図３】（Ａ）は短縮状態のプロテクタに小径のワイヤハーネスを収容した状態を示す図面、（Ｂ）は長伸状態のプロテクタに大径のワイヤハーネスを収容した状態を示す図面である。
【図４】（Ａ）（Ｂ）は従来例を示す図面である。
【図５】（Ａ）〜（Ｃ）は他の従来例を示す図面である。
【符号の説明】
【００２５】
１０  プロテクタ
１１  外枠
１１ａ  連結枠
１１ｂ  両側外枠
１２Ａ  第１リンク片
１２Ｂ  第２リンク片
１３  伸縮内枠
１４  閉鎖枠
１５  薄肉ヒンジ
１６  薄肉ヒンジ部
１７  蓋
Ｗ／Ｈ１  小径のワイヤハーネス
Ｗ／Ｈ２  大径のワイヤハーネス
【図１】
2005073395.tif 000003
【図２】
2005073395.tif 000004
【図３】
2005073395.tif 000005
【図４】
2005073395.tif 000006
【図５】
2005073395.tif 000007